(57)【要約】【課題】少数のキースイッチを用い、仮名文字を２ストロークと３ストロークで入力する。【解決手段】入力を要する仮名文字の子音部を選択する子音選択キースイッチ群４の選択情報と、入力を要する仮名文字の母音部を選択する母音選択キースイッチ群の選択情報を、それぞれに取得するキースイッチ手段を介し、そのキースイッチ手段が取得した子音選択情報と母音選択情報を、文字選択マトリクスの行と列に係る情報として、入力を要する仮名文字を選択するとともに、前記キースイッチ手段は、清音もしくは直音の子音を選択する第１の子音選択キースイッチ群４と、濁音もしくは拗音の子音を選択する第２の子音選択キースイッチ群５と、直音もしくは清音の母音を選択する第１の母音選択キースイッチ群８と、拗音もしくは濁音の母音を選択する第２の母音選択キースイッチ群９を備える。【選択図】        図１
2005099921.tif 000002
【特許請求の範囲】
【請求項１】
入力を要する仮名文字の子音部を選択する子音選択キー群の選択情報と、入力を要する仮名文字の母音部を選択する母音選択キー群の選択情報を、それぞれに取得するキースイッチ手段を介し、そのキースイッチ手段が取得した子音選択情報と母音選択情報を、文字選択マトリクスの行と列に係る情報として、入力を要する仮名文字を選択するようになすとともに、
前記子音選択キー群は、第１の子音選択キー群により清音の子音部を、第２の子音選択キー群により濁音の子音部を、それぞれに選択し、
前記母音選択キー群は、第１の母音選択キー群により直音の母音部を、第２の母音選択キー群により拗音の母音部を、それぞれに選択
することを特徴とする、多ストローク式仮名文字キー入力方法。
【請求項２】
入力を要する仮名文字の子音部を選択する子音選択キー群の選択情報と、入力を要する仮名文字の母音部を選択する母音選択キー群の選択情報を、それぞれに取得するキースイッチ手段を介し、そのキースイッチ手段が取得した子音選択情報と母音選択情報を、文字選択マトリクスの行と列に係る情報として、入力を要する仮名文字を選択するようになすとともに、
前記子音選択キー群は、第１の子音選択キー群により直音の子音部を、第２の子音選択キー群により拗音の子音部を、それぞれに選択し、
前記母音選択キー群は、第１の母音選択キー群により清音の母音部を、第２の母音選択キー群により濁音の母音部を、それぞれに選択
することを特徴とする、多ストローク式仮名文字キー入力方法。
【請求項３】
第１の子音選択キー群が、第２の子音選択キー群より優先的に選択状態が定まる選択キー群である請求項１または２記載の多ストローク式仮名文字キー入力方法。
【請求項４】
第２の子音選択キー群が、第１の子音選択キー群からシフトされてなる選択キー群である請求項１〜３いずれかに記載の多ストローク式仮名文字キー入力方法。
【請求項５】
第１の母音選択キー群が、第２の母音選択キー群より選択操作効率の高い方である請求項１〜４いずれかに記載の多ストローク式仮名文字キー入力方法。
【請求項６】
母音選択キー群が、第１選択状態にある子音選択キー群にキー入力があると、この子音選択キー群を第２選択状態に遷移するようにした選択キー群である請求項１〜５いずれかに記載の多ストローク式仮名文字キー入力方法。
【請求項７】
入力を要する仮名文字の子音部を選択する子音選択キースイッチ群の選択情報と、入力を要する仮名文字の母音部を選択する母音選択キースイッチ群の選択情報を、それぞれに取得するキースイッチ手段を介し、そのキースイッチ手段が取得した子音選択情報と母音選択情報を、文字選択マトリクスの行と列に係る情報として、入力を要する仮名文字を選択するとともに、
前記キースイッチ手段は、
清音の子音を選択する第１の子音選択キースイッチ群と、
濁音の子音を選択する第２の子音選択キースイッチ群と、
直音の母音を選択する第１の母音選択キースイッチ群と、
拗音の母音を選択する第２の母音選択キースイッチ群
を備えることを特徴とする多ストローク式仮名文字キー入力装置。
【請求項８】
入力を要する仮名文字の子音部を選択する子音選択キースイッチ群の選択情報と、入力を要する仮名文字の母音部を選択する母音選択キースイッチ群の選択情報を、それぞれに取得するキースイッチ手段を介し、そのキースイッチ手段が取得した子音選択情報と母音選択情報を、文字選択マトリクスの行と列に係る情報として、入力を要する仮名文字を選択するとともに、
前記キースイッチ手段は、
直音の子音を選択する第１の子音選択キースイッチ群と、
拗音の子音を選択する第２の子音選択キースイッチ群と、
清音の母音を選択する第１の母音選択キースイッチ群と、
濁音の母音を選択する第２の母音選択キースイッチ群
を備えることを特徴とする多ストローク式仮名文字キー入力装置。
【請求項９】
母音選択キースイッチ群は、第１選択状態にある子音選択キースイッチ群にキー入力があると、この子音選択キースイッチ群を第２選択状態に遷移するとともに、この第２選択状態において、第１の補助スイッチを介し、第１選択状態に遷移しうるようになしたものである、請求項７または８記載の多ストローク式仮名文字キー入力装置。
【請求項１０】
第２の子音選択キースイッチ群は、第１の子音選択キースイッチ群を、第２の補助スイッチを介してシフトモードに移行するとともに、このシフトモードにあるとき、第１もしくは第２の補助スイッチを介しノーマルモードに移行するようになしたものである、請求項７〜９いずれかに記載の多ストローク式仮名文字キー入力装置。
【請求項１１】
キースイッチ手段は、文字入力専用の１０個のキースイッチ群と、機能スイッチとして働く２個の補助スイッチからなる、３列４行のマトリクス構造をなしている、請求項７〜１０いずれかに記載の多ストローク式仮名文字キー入力装置。
【請求項１２】
３列４行のマトリクス構造をなすキースイッチ手段は、周辺に１０個の文字入力用キースイッチ群を配置し、中央に２個の補助スイッチを配置するとともに、文字入力用キースイッチ群の半分を、第１の文字入力用のキースイッチ群とし、他の半分を第２の文字入力用のキースイッチ群としてある、請求項１１記載の多ストローク式仮名文字キー入力装置。
【請求項１３】
キースイッチ手段が、第１及び第２の文字入力用のキースイッチ群の周辺と、機能スイッチの周辺を、囲み線をもって目視的に区分してある、請求項１２記載の多ストローク式仮名文字キー入力装置。
【請求項１４】
キースイッチ手段は、第１の文字入力用キースイッチ群と第２の文字入力用のキースイッチ群を、円をなすように円弧状に配列し、その円弧状の第１と第２の文字入力用のキースイッチ群の円内に、４個の補助キースイッチを、４方向操作指示をなすキー配列をもって配置してある、請求項７〜１０いずれかに記載の多ストローク式仮名文字キー入力装置。
【請求項１５】
キースイッチ手段は、４方向操作指示をなすキー配列をもって配置した４個の補助キースイッチの中央に、５個目の補助スイッチを配置してなる、請求項１４記載の多ストローク式仮名文字キー入力装置。
【請求項１６】
キースイッチ手段は、第１の文字入力用キースイッチ群と第２の文字入力キースイッチ群を、１列に配置してある、請求項７〜１０いずれかに記載の多ストローク式仮名文字キー入力装置。
【請求項１７】
キースイッチ手段は、第１の文字入力用キースイッチ群と第２の文字入力キースイッチ群を、それぞれ一列に直列配置するとともに、その第１と第２の文字入力用キースイッチ群を並列に配置してある、請求項７〜１０いずれかに記載の多ストローク式仮名文字キー入力装置。
【請求項１８】
第１と第２の文字入力用キースイッチ群が、それぞれに５個のキースイッチをもってなる、請求項７〜１７いずれかに記載の多ストローク式仮名文字キー入力装置。
【請求項１９】
キースイッチ手段は、第１、第２の文字入力用のキースイッチ群と補助キースイッチの各キートップ模様を表示した画像表示画面と、その画像表示画面のキートップ模様を指し示すポインティング手段とにより、スイッチ機能を達成するようにしてある、請求項７〜１８いずれかに記載の多ストローク式仮名文字キー入力装置。
【請求項２０】
ポインティング手段が、画像表示画面の前面に設けられたタッチパネルである、請求項１９記載の多ストローク式仮名文字キー入力装置。
【請求項２１】
ポインティング手段が、画像表示画面中を移動するカーソルポインターである、請求項１９記載の多ストローク式仮名文字キー入力装置。
【請求項２２】
画像表示画面が、キースイッチ手段の選択機会において、そのとき選択可能な要素に係る表示模様を、画像表示画面に表示している、請求項１９〜２１いずれかに記載の多ストローク式仮名文字キー入力装置。
【請求項２３】
画像表示画面が、キートップ模様と、そのキートップの選択機会において選択可能な要素に係る表示模様を、オーバーラップさせて表示している、請求項２２記載の多ストローク式仮名文字キー入力装置。
【発明の詳細な説明】
【技術分野】
【０００１】
本発明は、コンピュータの入力端末や多機能なディジタル装置の入力端末に使用する多ストローク方式の仮名文字入力方法とその装置に関する。
【背景技術】
【０００２】
コンピュータの文字入力装置としてはキーボードが最も入力効率が高く、英数字の入力においては、１ストローク入力を可能としている。
【０００３】
その他のディジタル機器やディジタルテレビ、および携帯式電話機の文字入力には、ロータリー選択式の多ストローク入力が採用されている。
【０００４】
キーボードにおける、仮名文字入力においては、１ストローク式の入力方法によるＪＩＳカナ入力方法がある。
【０００５】
その他にも、仮名直接入力方法としては、親指シフト式、タッツチキー式等の２ストロークキー入力方法がある。
【０００６】
さらに、英数字キーボードを使用して仮名文字を入力する方法として、ローマ字入力方法がある。
【０００７】
また、ペンタッチタブレットやタブレット付きモニター画面、およびウインドウ画面等を利用した五十音図によるタブレット選択方法がある。
なお、上述のロータリー選択式やＪＩＳカナ入力方法、２ストロークキー入力方法、タブレット選択方法等の公知の文献は見出されていない。
【発明の開示】
【発明が解決しようとする課題】
【０００８】
しかし、キーボードにおけるＪＩＳカナ入力方法は、仮名１文字の入力に要するストローク数は少ないが、選択キーの数が多く、覚え難いと言う難点がる。
【０００９】
さらに、ＪＩＳカナ入力は、１拍音節をなす拗音に、清音の仮名文字と拗音を示す小文字の「ゃ」「ゅ」「ょ」を付けて選択するため、２ストロークを要すると共に、小文字の「ゃ」「ゅ」「ょ」は、キーボード最上段のキーでシフトによって入力されるため、初心者には入力操作が困難である。
【００１０】
また、小文字の母音が付される拗音も、小文字の「ぁ」「ぃ」「ぅ」「ぉ」が最上段のシフトで入力されるので操作し難い。
【００１１】
この仮名文字における拗音の取り扱いは、ローマ字入力においてもストローク数を増し、直音の仮名文字が２ストロークのところ、拗音は３ストロークで入力する。
【００１２】
拗音は、子音を示す１つの英字（アルファベット）と、ＹＡ，ＹＩ，ＹＵ，ＹＥ，ＹＯ、の英字を繋げて表されるため、キーボード上、Ｅの文字を除いて、他は全て右手のホームポジションよりも上段のところに、Ｙ，Ｕ，Ｉ，Ｏ、が配置され、先頭の子音の英字が、Ｈ、Ｊ、Ｎ，Ｍ、Ｐ、であると、３ストロークとも右手の操作になり、ホームポジションを維持してのキーボードタッチが難しくなる。
【００１３】
また、拗音には、直音の仮名に小文字の母音が付されるものもあり、この場合は、直音を選択するのに２ストローク、小文字の母音を選択するのに２ストローク要するので４ストロークを要することになる
【００１４】
ここで課題にするストロークは、キー入力の速度を問題とするためのものではなく、１拍の仮名を選択するのに、選択を要するキーの数を問題にしており、初心者の場合、選択を要するキーは、キーテーブル上から探しだすキーの数と等しいのである。
【００１５】
同様に、キーボードにおける、親指シフトやタッチタイプ式は、多くの訓練をして熟練度が高まると文字入力の速度が高くなることは実証されているが、初心者や、高齢者においてキーポジションの覚えるのに難点がある。
【００１６】
ローマ字式、親指シフト、タッチタイプは、それぞれに選択キーの数にはさほど差はなく、初心者や高齢者には覚え難い。
【００１７】
以上のキーボードとしての仮名文字の入力方法であるが、キーボード自体が両手の指先で、多数のキーを選択して、選択したキートップを押し下げなければならないという、個人の運動能力に係る問題点もある。
【００１８】
一方、仮名文字の入力の要求は、コンピュータの周辺機器としてのみならず、携帯式電話機や、ファクシミリ装置、音響装置、及び今後普及が確実となるディジタルテレビ装置等において、確実に高まることが予測され、これらの仮名文字入力部にキーボードをそのまま用いることは、不適当である。
【００１９】
だが、現在携帯電話に利用されている仮名文字入力の方法は、入力に使用される選択キーの数が少なくすむため、実際の状況に即しているが、将来的に全てのディジタル機器に適用できる標準仕様となるには、入力効率があまりにも悪く、単に仮名文字入力を取り敢えずするために、過渡的に採用されたものとすべきであるが、実際には多くの利用者のあることは事実である。
【００２０】
この、携帯式電話機の仮名文字入力方法は、電話機に使用される１２個の選択キーでなるテンキー配列のキースイッチを用いて、仮名文字全部を入力するために、１つのキーを続けて押す、ローテーション選択方法が用いられ、１つにキーに対して、５個から１３個の文字や記号（キャラクタ）を割り当ててある。
【００２１】
このローテーション選択方法では、時間を掛けて文字を拾う感覚で、文字入力を可能とするが、文章としての文字入力には、将来的にも到底実用になるうる入力方法とはなり得ない。
【００２２】
上記ローテーション選択方法では、選択操作と確定操作が別々に行われなければならないことが生じるので、（例えば同一キーに配列されている文字が続く場合等）文章としての文字入力に滞りを生じて入力し難い。
【００２３】
さらに、この方法は、ローテーションで選択されている文字を、ディスプレイ装置上で確認しないと正確な確定操作ができないので、ブラインドタッチ（選択キーや選択文字表示を目視しないで続けて文字入力をする手法）が実質的に不可能である。
【００２４】
拗音の取り扱いも、特に考慮されておらず、直音の仮名の後に、小文字の母音「ぁ」「ぃ」「ぅ」「ぇ」「ぉ」、もしくは、小文字の「ゃ」「ゅ」「ょ」を付設している。
【００２５】
また、小文字の母音「ぁ」「ぃ」「ぅ」「ぇ」「ぉ」および「ゃ」「ゅ」「ょ」は、ローテーションの後方に設定されており、「ぁ」〜「ぉ」が５〜１０回目に、「ゃ」〜「ょ」が４〜６回目に設定されている。
そのため、１つの拗音の仮名を入力するには、多大の手間が掛かる。
【００２６】
この拗音の問題は、日本語としての純粋な「ゃ」「ゅ」「ょ」が付く拗音以外に、最近外来語の中で使用される片仮名表記の用語に、発音に近い表音表記として多く現れる。
【００２７】
外来語の片仮名表記は、工業や医療等の学術用語、技術用語、及び商品の名称や、人名、地名、建造物等の固有名詞に多く使用され、これからのディジタル機器のデータベースや通信文書、個人情報の管理等に不可欠なデータ入力要素となる。
【００２８】
本発明は、上述の課題に鑑みなされてもので、電話機のキースイッチと同数の選択キーを用い、主要直音の清音とそれの拗音を２ストロークで直接入力し、他の濁音及び濁音の拗音並びに記号等を３ストロークで直接入力しうる、仮名文字の入力方法とその装置を提供する。
【００２９】
また、その入力に際して、各選択キースイッチと選択される文字の関係が、最初に選択される子音のキー群を、誰にでも知られている五十音図と高い相関関係を持たせるとともに、次に選択される単母音及び拗母音のキー群を、選択キーの図形的配列と関連付けて固定的に配置し、仮名文字選択に関しては、配置された仮名文字の位置を正確に覚えていなくとも、五十音図の文字配列と、子音と母音の関係、並びに直音と拗音の関係、及び清音と濁音の関係に基づき、推測や推定により、適正な対応キーを選択しうる、仮名文字の入力方法とその装置を提供する。
【課題を解決するための手段】
【００３０】
本発明によると、上記課題は、次のようにして解決される。
（１）入力を要する仮名文字の子音部を選択する子音選択キー群の選択情報と、入力を要する仮名文字の母音部を選択する母音選択キー群の選択情報を、それぞれに取得するキースイッチ手段を介し、そのキースイッチ手段が取得した子音選択情報と母音選択情報を、文字選択マトリクスの行と列に係る情報として、入力を要する仮名文字を選択するようになすとともに、前記子音選択キー群は、第１の子音選択キー群により清音の子音部を、第２の子音選択キー群により濁音の子音部を、それぞれに選択し、前記母音選択キー群は、第１の母音選択キー群により直音の母音部を、第２の母音選択キー群により拗音の母音部を、それぞれに選択することにより。
【００３１】
（２）入力を要する仮名文字の子音部を選択する子音選択キー群の選択情報と、入力を要する仮名文字の母音部を選択する母音選択キー群の選択情報を、それぞれに取得するキースイッチ手段を介し、そのキースイッチ手段が取得した子音選択情報と母音選択情報を、文字選択マトリクスの行と列に係る情報として、入力を要する仮名文字を選択するようになすとともに、前記子音選択キー群は、第１の子音選択キー群により直音の子音部を、第２の子音選択キー群により拗音の子音部を、それぞれに選択し、前記母音選択キー群は、第１の母音選択キー群により清音の母音部を、第２の母音選択キー群により濁音の母音部を、それぞれに選択することにより。
【００３２】
（３）上記（１）または（２）項記載において、第１の子音選択キー群が、第２の子音選択キー群より優先的に選択状態が定まる選択キー群である。
【００３３】
（４）上記（１）〜（４）項いずれかにおいて、第１の子音選択キー群が、第２の子音選択キー群より優先的に選択状態が定まる選択キー群である。
【００３４】
（５）上記（１）〜（４）項いずれかにおいて、第１の母音選択キー群が、第２の母音選択キー群より選択操作効率の高い方である。
【００３５】
（６）上記（１）〜（５）項いずれかにおいて、母音選択キー群が、第１選択状態にある子音選択キー群にキー入力があると、この子音選択キー群を第２選択状態に遷移するようにした選択キー群である。
【００３６】
（７）入力を要する仮名文字の子音部を選択する子音選択キースイッチ群の選択情報と、入力を要する仮名文字の母音部を選択する母音選択キースイッチ群の選択情報を、それぞれに取得するキースイッチ手段を介し、そのキースイッチ手段が取得した子音選択情報と母音選択情報を、文字選択マトリクスの行と列に係る情報として、入力を要する仮名文字を選択するとともに、前記キースイッチ手段は、清音の子音を選択する第１の子音選択キースイッチ群と、濁音の子音を選択する第２の子音選択キースイッチ群と、直音の母音を選択する第１の母音選択キースイッチ群と、拗音の母音を選択する第２の母音選択キースイッチ群を備えることにより。
【００３７】
（８）入力を要する仮名文字の子音部を選択する子音選択キースイッチ群の選択情報と、入力を要する仮名文字の母音部を選択する母音選択キースイッチ群の選択情報を、それぞれに取得するキースイッチ手段を介し、そのキースイッチ手段が取得した子音選択情報と母音選択情報を、文字選択マトリクスの行と列に係る情報として、入力を要する仮名文字を選択するとともに、前記キースイッチ手段は、直音の子音を選択する第１の子音選択キースイッチ群と、拗音の子音を選択する第２の子音選択キースイッチ群と、清音の母音を選択する第１の母音選択キースイッチ群と、濁音の母音を選択する第２の母音選択キースイッチ群を備えることにより。
【００３８】
（９）上記（７）または（８）項において、母音選択キースイッチ群は、第１選択状態にある子音選択キースイッチ群にキー入力があると、この子音選択キースイッチ群を第２選択状態に遷移するとともに、この第２選択状態において、第１の補助スイッチを介し、第１選択状態に遷移しうるようになしたものである。
【００３９】
（１０）上記（７）〜（９）項いずれかにおいて、第２の子音選択キースイッチ群は、第１の子音選択キースイッチ群を、第２の補助スイッチを介してシフトモードに移行するとともに、このシフトモードにあるとき、第１もしくは第２の補助スイッチを介しノーマルモードに移行するようになしたものである。
【００４０】
（１１）上記（７）〜（９）項いずれかにおいて、キースイッチ手段は、文字入力専用の１０個のキースイッチ群と、機能スイッチとして働く２個の補助スイッチからなる、３列４行のマトリクス構造をなしている。
【００４１】
（１２）上記（１１）項において、３列４行のマトリクス構造をなすキースイッチ手段は、周辺に１０個の文字入力用キースイッチ群を配置し、中央に２個の補助スイッチを配置するとともに、文字入力用キースイッチ群の半分を、第１の文字入力用のキースイッチ群とし、他の半分を第２の文字入力用のキースイッチ群としてある。
【００４２】
（１３）上記（１２）項において、キースイッチ手段が、第１及び第２の文字入力用のキースイッチ群の周辺と、機能スイッチの周辺を、囲み線をもって目視的に区分してある。
【００４３】
（１４）上記（７）〜（１０）項いずれかにおいて、キースイッチ手段は、第１の文字入力用キースイッチ群と第２の文字入力用のキースイッチ群を、円をなすように円弧状に配列し、その円弧状の第１と第２の文字入力用のキースイッチ群の円内に、４個の補助キースイッチを、４方向操作指示をなすキー配列をもって配置してある。
【００４４】
（１５）上記（１４）項において、４方向操作指示をなすキー配列をもって配置した４個の補助キースイッチの中央に、５個目の補助スイッチを配置してなる。
、請求項１４に記載の多ストローク式仮名文字キー入力装置。
【００４５】
（１６）上記（７）〜（１０）項いずれかにおいて、キースイッチ手段は、第１の文字入力用キースイッチ群と第２の文字入力キースイッチ群を、１列に配置してある。
【００４６】
（１７）上記（７）〜（１０）項いずれかにおいて、キースイッチ手段は、第１の文字入力用キースイッチ群と第２の文字入力キースイッチ群を、それぞれ一列に直列配置するとともに、その第１と第２の文字入力用キースイッチ群を並列に配置してある。
【００４７】
（１８）上記（７）〜（１７）項いずれかにおいて、第１と第２の文字入力用キースイッチ群が、それぞれに５個のキースイッチをもってなる。
【００４８】
（１９）上記（７）〜（１８）項いずれかにおいて、キースイッチ手段は、第１、第２の文字入力用のキースイッチ群と補助キースイッチの各キートップ模様を表示した画像表示画面と、その画像表示画面のキートップ模様を指し示すポインティング手段とにより、スイッチ機能を達成するようにしてある。
【００４９】
（２０）上記（１９）項において、ポインティング手段が、画像表示画面の前面に設けられたタッチパネルである。
【００５０】
（２１）上記（１９）項において、ポインティング手段が、画像表示画面中を移動するカーソルポインターである。
【００５１】
（２２）上記（１９）〜（２１）項いずれかにおいて、画像表示画面が、キースイッチ手段の選択機会において、そのとき選択可能な要素に係る表示模様を、画像表示画面に表示している。
【００５２】
（２３）上記（２２）項において、画像表示画面が、キートップ模様と、そのキートップの選択機会において選択可能な要素に係る表示模様を、オーバーラップさせて表示している。
【発明の効果】
【００５３】
請求項１に記載の発明によると、入力を要する仮名文字群を、表音される音から、その音の各種の属性に明確に分類し、その分類に基づいて、子音の種類を入力する子音選択機会において、清音と濁音において大まかに２分しておき、母音の種類を入力する母音選択機会において、直音と拗音に分けて、選択を要する要素を、母音の種類の数だけに、少なくして、選択を容易にしている。
最初の子音の選択機会において、清音と濁音に分けると、清音と濁音は、子音に濁りの有無で分けるため、その分け方の境界が分かり易く、選択の容易性が高い。また、次に母音の選択機会において、直音と拗音に分けるのため、直音と拗音は、選択目的の仮名文字の音から、誰でも容易に分けることができるので、選択の容易性が高く、最後に、母音の選択機会においては、選択する択一要素が母音の数の５通りしかないので、この選択機会でも、選択の容易性が高く、かつ母音の選択機会は、直音と拗音に分けてキー選択が行われるので、出現頻度の高い直音の母音選択機会は多く、かつ選択するキーの数は５個しかないので、覚え易く、しかも拗音の母音のキーを、直音の母音のキーと対称的に配置すると、直音で覚えた母音のキーの配置が、拗音のキーの配置に反映されて、さらに選択の容易性を高めることができる。
【００５４】
請求項２に記載の発明によると、入力を要する仮名文字群を、表音される音から、その音の各種の属性に明確に分類し、その分類に基づいて、子音の種類を入力する子音選択機会において、直音と拗音において大まかに２分しておき、母音の種類を入力する母音選択機会において、清音と濁音に分けて、選択を要する要素を、母音の種類の数だけに、少なくして、選択を容易にしている。
最初の子音の選択機会において、直音と拗音に分けると、直音は拗音に比べて、その出現頻度が圧倒的に直音の方が多くなっているので、直音の方を、選択しなくてよい方、すなわち、予め設定される側（デフォルト設定側）に定めておくと、実質的選択操作は、出現頻度の少ない拗音の方となり、選択の操作性が高くなるとともに、選択の容易性も高くなる。また、直音と拗音は、選択目的の仮名文字の音から、誰でも容易に分けることができるので、選択の容易性が高い。また、次に母音の選択機会において、清音と濁音に分けるのため、清音と濁音は、子音に濁りの有無で分けるため、その分け方の境界が分かり易く、選択の容易性が高い。最後に、母音の選択機会においては、選択する択一要素が母音の数の５通りしかないので、この選択機会でも、選択の容易性が高く、かつ母音の選択機会は、清音と濁音に分けてキー選択が行われ、清音は濁音に比べて、出現頻度の高いので、母音選択機会は多く、かつ選択するキーの数は５個しかないので、覚え易く、しかも清音の母音のキーを、濁音の母音のキーと対称的に配置すると、清音で覚えた母音のキーの配置が、濁音のキーの配置に反映されて、さらに選択の容易性を高めることができる。
【００５５】
請求項３に記載の発明によると、第１の子音選択キー群を、他方より優先的に選択状態が定まる方、すなわち予め設定される側（デフォルト設定側）に定めて、この優先して選択状態が定まる方に、出現頻度の高い仮名文字に係る属性を設定しておくと、シフト操作を要する第２の子音選択キー群の選択機会が少なくなって、選択効率を高めることができる。
【００５６】
請求項４に記載の発明によると、第１の子音選択キー群を、シフトして第２子音選択キー群として使用するので、実質的に少ない数の子音選択キー群により、多くの数の仮名文字を選択することができる。
【００５７】
請求項５に記載の発明によると、出現頻度の高い、直音と清音が第１の母音選択キー群に割り付けられたとき、その第１母音選択キー群が、選択操作のし易いキー位置にあると、選択操作の効率が高まる。
【００５８】
請求項６に記載の発明によると、先に選択機会を有する子音選択キー群を、その子音選択機会が終わると、次に母音選択機会となる母音選択キー群に転用して、実質的に少ない数の選択キー群により、多くの数の仮名文字を選択することができる。
【００５９】
請求項７および８に記載の発明によると、入力を要する仮名文字を選択するキースイッチ手段が、子音部の選択情報を取得するキースイッチ群と、母音部の選択情報を取得するキースイッチ群に分けて、仮名文字を選択する選択情報を取得し、かつ清音の子音を選択する第１の子音選択キースイッチ群と、濁音の子音を選択する第２の子音選択キースイッチ群とに分けて、子音部の選択情報を取得し、さらに、直音の母音部を選択する第１の母音選択キースイッチ群と、拗音の母音部を選択する第２の母音選択キースイッチ群とに分けて、母音部の選択情報を取得するため、子音部と母音部の情報取得には、後先の時間差を設けることができ、かつ清音と濁音、直音と拗音は、それぞれが２者択一要素であるから、選択系を別々に分けることができ、そのため、１組のキースイッチ群を、ノーマルモードとシフトモードすることにより２つの選択系を作り、かつその１つのキースイッチを、時間差を設けて２つのキースイッチ群として使うことにより、１つのキースイッチ群を４つの情報取得機会に転用可能となり、大幅にキースイッチの数を少なくすることを可能とする。
【００６０】
請求項９に記載の発明によると、先に選択機会を与えられた子音選択キースイッチ群を、それのキー入力を転換機会として、後から選択機会を設ける母音選択キースイッチ群に時間差を設けて転用し、かつ母音選択機会でキー入力のない場合でも、後から転用した状態を、強制的に前に戻すのに１個の補助スイッチ用い、キースイッチ群の利用効率を高めている。
【００６１】
請求項１０に記載の発明によると、第１の子音選択キースイッチ群を、１つの補助スイッチを用いて、シフトモードに移行させて、別な選択系を作り、キースイッチの利用効率を高めている。
【００６２】
請求項１１に記載の発明によると、キースイッチ手段が３列４行のマトリクス構造をなすことにより、文字入力装置としての汎用性が高まるとともに、既製の電子機器に使用されているテンキースイッチに、本発明を容易に適用できる。
【００６３】
請求項１２に記載の発明によると、キースイッチ手段が、文字入力用のキースイッチ群を周辺に、機能スイッチの働きをする補助スイッチを中央において、文字入力キースイッチ群のキー番号配列を分かり易くするとともに、文字入力用キースイッチ群を２つに分けて、キー番号の並びを、左から右に昇順に並ぶようにし、そこに割り当てられる母音の並びの方向性と、キー番号の並びの方向性の整合性をとり、キー操作の容易性を高めている。
【００６４】
請求項１３に記載の発明によると、３列４行のマトリクス構造をなすキースイッチ手段に、第１および第２の文字入力用キースイッチ群を明示する、囲み線を設けることにより、キー操作の操作性を高める。
【００６５】
請求項１４に記載の発明によると、第１と第２の文字入力用キースイッチ群を、真円をなす円型に並べて、中央部に空間を作ることにより、その空間に４方向操作指示をなす４個の補助スイッチを配置することができるとともに、円型をなす文字入力用のキースイッチの並びは、キートップの空間的配置の規則性を高めて、キー操作の操作性を高める。
【００６６】
請求項１５に記載の発明によると、４方向操作指示をなす４個の補助スイッチの中央に、５個目の補助スイッチを有することにより、５個目の補助スイッチを、特定の機能に占有されることのない、自由な機能に割り付けることができ、このキースイッチ手段を、多機能スイッチ群として仮名文字入以外に利用できる。
【００６７】
請求項１６に記載の発明によると、キースイッチ手段のキートップを１列にすることにより、面積利用効率の高いキースイッチ手段を構成することができるとともに、液晶表示画面に表示させても、場所をとらないとともに、ペンタッチなどの操作が、一列並びであるから、操作し易い。
【００６８】
請求項１７に記載の発明によると、第１と第２の文字入力用キースイッチ群を、２列に並べてあるので、長手方向の長さが短くなり、ペン操作のペンの移動距離が少なくなり、操作性を高めることができる。
【００６９】
請求項１８に記載の発明によると、第１と第２の文字入力用キースイッチ群を５個にすることにより、５の数が、１と５が右端と左端の両端として、３が真ん中、２が右の中、４が左の中として、位置や触覚及び動作イメージとして、記憶したり、手の動作で覚えたりできる。
【００７０】
請求項１９に記載の発明によると、画像表示画面とポインティング手段により、キースイッチ手段を構成すると、ハードウエアとしてのスイッチ部材を必要としないので、既存の電子機器に容易に適応できる。
【００７１】
請求項２０に記載の発明によると、ポインティング手段をタッチパネルとすると、先の細いペンを用いることができるので、キートップ模様を小さくして、操作範囲の小さいキースイッチ手段を構成できるとともに、逆にキートップ模様を大きくして、指先もしくは手のひらで操作できるキースイッチ手段を構成することもできる。
【００７２】
請求項２１に記載の発明によると、画像表示画面と離れた位置からキー操作が可能な、キースイッチ手段を構成できる。
【００７３】
請求項２２に記載の発明によると、キー入力操作をアシスト（補助）する表示を、画像表示画面に表示させるので、キー入力操作の操作性が高くなる。
【００７４】
請求項２３に記載の発明によると、キー操作を行うキートップ模様上に、入力を目的とする仮名文字に係る選択情報が表示されるので、キー入力操作の操作性が高くなるとともに、入力しようとするキャラクタの属性で弁別できない記号や英字が割り当てられているキートップ上に、目的のキャラクタの図形が表示できるので、選択の容易性が高まる。
【発明を実施するための最良の形態】
【００７５】
以下、本発明の実施形態を、添付図面を参照して説明する。
【００７６】
本発明は、仮名文字に固有する複数の属性に基づき、子音と母音の組み合わせを、整理分類し、かつ古来からある五十音図に基づき、キー配列に割り当てる子音と母音の順序を定める等して、推理や推定および確定している部分からす連想する等して、選択容易性の向上と、連想記憶による学習の容易性を計るものである。
【００７７】
本発明の実施態様の説明の前に、本発明の重要な要素をなす、仮名文字を分類する複数の属性について考査する。
【００７８】
１つの仮名文字は、１拍１音節の音からなり、この音は、子音と母音に分けることができる。
【００７９】
仮名文字の音の分け方には、清音と濁音がある。
清音と濁音は、仮名の発音を子音と母音に分けたとき、子音に濁りの無い音を清音とし、子音に濁りの有るものを濁音とし、母音の持つ属性には係わりなく分類される。
【００８０】
仮名文字の音の別な分け方には、直音と拗音がある。
直音は、拗音、促音以外の音と定義されている（広辞苑）。
【００８１】
促音は、語の途中、もしくは語尾において、つまる音またはつめる音で、小文字の「っ」１音節で表される。
【００８２】
拗音は、小文字の「ゃ」「ゅ」「ょ」を、他の仮名の後に添えて表される、１音節の仮名であるとも定義されている（広辞苑）。
【００８３】
日本語としての拗音の定義は、上記のものとして、仮名の後に小文字の添え字を表記して、１拍１音節のなす表記は、他にも多々存在する。
【００８４】
例えば、外来語のカタカナ表記の語には、「ゃ」「ゅ」「ょ」以外の「ぁ」「ぃ」「ぅ「ぇ」「ぉ」の小文字の添え字を付した１拍１音節の文字が頻繁に用いられている。
【００８５】
次に示す表１〜表１５は、直音とみなされるる仮名を基に、それの拗音として小文字を添えて表記しうる１音節の音を、網羅した表である。
【００８６】
【表１】
2005099921.tif 000003
【００８７】
【表２】
2005099921.tif 000004
【００８８】
【表３】
2005099921.tif 000005
【００８９】
【表４】
2005099921.tif 000006
【００９０】
【表５】
2005099921.tif 000007
【００９１】
【表６】
2005099921.tif 000008
【００９２】
【表７】
2005099921.tif 000009
【００９３】
【表８】
2005099921.tif 000010
【００９４】
【表９】
2005099921.tif 000011
【００９５】
【表１０】
2005099921.tif 000012
【００９６】
【表１１】
2005099921.tif 000013
【００９７】
【表１２】
2005099921.tif 000014
【００９８】
【表１３】
2005099921.tif 000015
【００９９】
【表１４】
2005099921.tif 000016
【０１００】
【表１５】
2005099921.tif 000017
【０１０１】
上記表１〜表１５は、第１行目に、直音の各仮名を、各子音毎に五十音図様に、各母音「あいうえお」（以下この母音を単母音とする）順に示し、２行目以下に、次の手順で拗音を作成していく。
【０１０２】
なお、この発明における拗音の解釈は、日本語における本来の拗音の解釈とは異なるものとしておく。
【０１０３】
２行目には、１行目、１列目の母音「あ」の仮名を先頭にして、その仮名の後に、各列（段）の単母音を重ねて、各列を埋めていく。
【０１０４】
各表の音の表記において、単母音をなす「あ」は「Ａ」、「い」は「Ｉ」、「う」は「Ｕ」、「え」は「Ｅ」、「お」は「Ｏ」と表記する。
【０１０５】
３行目には、１行目、２列目の母音「い」の仮名を先頭にして、その仮名の後に、各列の単母音を重ねて、各列を埋めていく。
【０１０６】
同様に、４行目から６行目についても、順次に、１行目の３列目、４列目、５列目の音を、それぞれ先頭にして、その音の後に、各列の単母音を重ねて、各列を埋めていく。
【０１０７】
表１は、１行目が単母音であり、２行目から６行目において、この単母音の後に重ねられるのも単母音であるから、２行目から６行目は２重母音で１音が構成される。
【０１０８】
表２〜表１５までは、各表の１行目に、「か」「さ」「た」「な」「は」「ま」「や」「ら」「わ」「が」「ざ」「だ」「ば」「ぱ」を、行の先頭とする仮名を配列し、これらの各１行目をなす仮名群は、予め拗音を形成する基の音をなすことから、拗音ではない音、即ち直音である。
【０１０９】
上記各表は、表１と同様に、１行目の仮名を、１列目から順次に、２行目以降各行に配置し、かつ各行に配置された仮名の後に、表１の１行目各列の単母音を重ねて構成される。
【０１１０】
表２以降は、１行目の直音をなす仮名が、すでに子音に単母音を重ねてあるので、２行目から５行目において、その仮名の後に、再度単母音を重ねると、表１の２行目以降と同様に母音部は２重母音を形成する。
【０１１１】
各表において、後から重ねる単母音は、かな表記において、小文字の「ぁ」「ぃ」「ぅ」「ぇ」「ぉ」で表している。
【０１１２】
各表において、左側に付した◎、○、△は、拗音、または拗音と同様に、電子機器（パソコンやワードプロセッサ）等では実際に使用されている仮名を、１行中全て含むものを◎、１行中１つだけ欠けるものに○、１行中１つだけ含むものに△を、それぞれに付設して示している。
【０１１３】
注目するのは、表８のや行と表１０のわ行を除く各表の３行目には、全て◎が付いていることであり、前記や行とわ行の表には、いずれの記号も無いことである。
【０１１４】
さらに注目するのは、◎印の付いた各行において、英字表記の母音記号の部分を見ると、表１の３行目の２重母音と同じ構造をしている。
【０１１５】
この表１の３行目の２重母音の音を発音してみると、その音は、表８の１行目のや行の直音と対応が得られることがわかる。
即ち、「いぁ」は「や」と、「いぅ」は「ゆ」と、「いぉ」は「よ」とそれぞれ音が対応する。
【０１１６】
このことは、表１０のわ行についても同様に、表１の４行目と対応があり「うぁ」は「わ」と、「うぉ」は「を」と音が対応する。
【０１１７】
表１の単母音によって作られた２重母音は、この表が１行目を直音とし、２行目以降を拗音として作成したものであるから、母音の拗音とすることができ、この２重母音の母音部を、本発明においては拗母音とする。
【０１１８】
そして、表８、表１０を除く表２〜表１５の各３行目は、１行目の直音の子音に、表１の３行目の拗母音（い行拗母音とする）を付けたものとして表すことができる。
【０１１９】
これにより、表８、表１０を除く表２〜表１５の各１行目の直音の集まりと、同じく各３行目の拗音の集まりとは、選択を要する仮名文字群を形成しており、この仮名文字群は、子音部が何であるかに係わりなく、母音部が単母音か拗母音かによって、直音と拗音とに、分けることが可能であることを示している。
なお、上記仮名文字群には、促音の「っ」と、撥音「ん」は含まれていない。
【０１２０】
なお、表８の直音や行と、表１０の直音わ行は、表１の３行目のい行拗母音と、う行拗母音とするべきであるが、古来から有る五十音図に基づき、拗音の無い直音のみのや行とわ行の仮名（音）として、選択を要する仮名文字群に含めて、以下取り扱うものとする。
【０１２１】
また、◎印を付した表８、表１０を除く表２〜表１５の各３行目は、各１行目の直音と、全て対応があることから、本発明において取り扱う拗音は、◎を付した３行目の集まりとする。
【０１２２】
ただし、は行の第４行目「ふ」行に係る拗音は、出現頻度の多い文字なので、別途例外として考慮する。
【０１２３】
また、◎印の付いた表１３の「だ」行の５行目や、○や△を付した行に含まれる拗音の取り扱いは、例外として、小文字の「ぁ」「ぃ」「ぅ」「ぇ」「ぉ」、または「ゃ」「ゅ」「ょ」を付した２文字の仮名文字として入力するようにする。
さらに、上述の促音の「っ」と、撥音「ん」は、仮名文字として特定の属性で分類することなく、「、」「。」等と同等の記号文字として取り扱う。
【０１２４】
以上の如く、直音と拗音は、子音部が清音か濁音かに係わりなく、母音部が単母音でなるものを直音、母音部が拗母音でなるものを拗音として、分類することができる。
【０１２５】
以下本発明は、直音と拗音を、明確に分離分類することにより、それと相まって、清音と濁音の分類、子音と母音の分類に基づき、仮名文字を入力する。
【実施例１】
【０１２６】
図１と図２は、本発明方法の第１の実施要領を示すものである。
【０１２７】
図１は、仮名文字の選択入力要領の概念図を示すし、図２は、図１の概念図をより具体的に示した文字選択マトリクスである。
【０１２８】
(１)は、選択を要する仮名文字群全体の領域を表し、この仮名文字領域(１)は、清音領域(２)と濁音領域(３)に分けられる。
【０１２９】
清音領域(２)と濁音領域(３)は、子音が先に選択される要素であることから、先に選択される第１子音選択キー群(４)と、第２子音選択キー群(５)に割り当てられる。
【０１３０】
清音は、仮名の基本形で五十音図と一致するとともに、仮名文字としての出現頻度の大きいことから、常に優先するノーマルモードによって形成される、第１子音選択キー群(４)に割り付ける。
【０１３１】
清音と濁音を比較すると、清音に濁りを付けたのが濁音であることから、濁音は、清音の子音部を変えることなく共通に使用しうるので、濁音領域(３)は、清音に対して濁音であるとするシフト操作などの濁音要素を付加したものとして、ノーマルモードとして優先する第１子音選択キー群(４)に対して、それのシフトモードとして従属する第２子音選択キー群(５)に割り付ける。
【０１３２】
なお、本発明においては、第１子音選択キー群(４)と第２子音選択キー群(５)を、ハードウエアとして別々とした２つの選択キースイッチ群で構成するこも、可能であるが、両子音選択キー群(４)(５)の間で、同時に択一選択を行う必要性が全くないので、大きな効果は得られない。
【０１３３】
ただし、第１と第２の子音選択キー群(４)(５)を、別々とした２つの選択キースイッチ群で構成すると、両者はともに、択一選択機会を同じくするので、濁音領域(３)を指示する１ストロークが少なくなる効果はあるが、選択キーの数が倍になって選択し難くなる。
【０１３４】
次に、清音領域(２)または濁音領域(３)のいずれかで、選択目標の仮名文字の子音部が選択されると、その仮名文字が直音領域(６)と拗音領域(７)によって、直音であれば第１母音選択キー群(８)で、拗音であれば第２母音選択キー群(９)で、直音と拗音によって別々の母音が選択される。
【０１３５】
母音部は、直音領域(６)を割り当てた第１母音選択選択キー群(８)によって、単母音(10)が選択され、拗音領域(７)を割り当てた第２母音選択キー群(９)によって、拗母音(11)が選択される。
【０１３６】
図２に示す如く、子音を入力する前記第１と第２の子音選択キー群(４)(５)の選択情報と、母音を入力する前記第１と第２の母音選択キー群(８)(９)の選択情報は、行列に配列された文字選択マトリクスに入力されて、選択を要する目的の仮名文字が選択されるようになっている。
【０１３７】
さらに、ノーマルモードをなす第１子音選択キー群(４)は、択一選択待ちの第１選択状態(4a)において、択一選択を終了すると、第２選択状態(12)に遷移するようになっている。
【０１３８】
なお、シフトモードにおける第２子音選択キー群(５)においても、それの択一選択待ちの第１選択状態(5a)において、択一選択を終了すると、第２選択状態(12)に遷移するようになっている。
【０１３９】
上記ノーマルモードとシフトモードの関係は、ハードウエア的に、キースイッチ群が出力する情報の上位ビットシフトするように働かせ、文字選択マトリクスへ入力する情報の行列に係る方向性は変化させないものとする。
なお、ノーマルモードからシフトモードに移行させるには、１つの機能スイッチを必要とする。
【０１４０】
また、第１選択状態(4a)(5a)から第２選択状態(12)への遷移は、ハードウエア的に、キースイッチ群が出力する情報のラインを切り換えて、文字選択マトリクスに入力する情報の行列に係る方向性を変化するものとする。
【０１４１】
本発明の好ましい実施例においては、第１と第２の子音選択キー群(４)(５)は、第１選択状態(4a)(5a)において、子音部の選択を終了すると、第２選択状態(12)に遷移させるのがよい。
【０１４２】
第１選択状態(4a)においてノーマルモードをなす第１子音選択キー群(４)は、前述のように、１０個のキースイッチを具備しているから、第２選択状態(12)においては、その１０個のキースイッチを５個ずつに分けて、第１選択グループ(13)と第２選択グループ(12)を形成し、両選択グループ(13)(12)を、２つの５者択一選択キースイッチとして使用する。
【０１４３】
これにより、モード切り換えようの機能スイッチと、文字入力用の１０個のキースイッチとの、最小限１１個のキースイッチ群で、五十音図通りの清音と、その清音を基にした濁音と、それら清音と濁音の拗音を、清音領域(２)が２ストロークで、濁音領域(３)が３ストロークで選択できる。
【０１４４】
図２において、子音、単母音、拗母音として示されるアルファベットは、それらのコードが入力されたり、データとして使用され、データとして送られたりするものではなく、表１から表１５に対応させて、子音、単母音、拗母音には、それらアルファベットで表記されるパラメータや因子を含むことを示している。
【０１４５】
また、子音と母音により、文字選択マトリクスで索引される個所において、仮名文字以外の記号、アルファベット等は、参考までに表記してあり、空白部は未定義である。
【実施例２】
【０１４６】
図３と図４は、本発明方法の第２の実施要領を示す、文字選択マトリクスの第２の例を示すものである。
【０１４７】
図３は、仮名文字の選択入力要領の概念図を示すし、図４は、図３の概念図をより具体的に示した文字選択マトリクスである。
【０１４８】
図３と図４は、図１と図２に示す清音領域(２)と濁音領域(３)を、第１と第２の母音選択キー群(８)(９)の方に割り当て、直音領域(６)と拗音領域(７)を、第１と第２の子音選択キー群(４)(５)の方に、割り当てた、文字選択マトリクスの別な例を示す。
【０１４９】
なお、図中同じ内容を示すものについては、同一符号を付して、それの詳細な説明は省略する（以下の各実施例についても同様である）。
【０１５０】
本発明においては、前記のように１０個のキースイッチと、１個の機能スイッチにより、図２及び図４に示す文字選択マトリクスに配列された仮名文字が、選択しうるようになっている。
【０１５１】
選択を要する仮名文字の数に比べて、入力に使用するキースイッチの数が少ない場合、選択を要する文字の情報を入力するキー選択機会において、各キーにどの様な選択要素が割り当てられているか、不明となることが多い。
【０１５２】
本発明においては、後述する１〜０（１０）のキー番号を付されたキースイッチが、ノーマルモードにおける子音選択機会と、シフトモードにおける子音選択機会において、それぞれに子音の情報を入力する２つの選択機会を作っている。
【０１５３】
また、子音選択後に、ノーマルモードにおいて母音の情報を入力する母音選択機会と、シフトモードにおいて母音の情報を入力する母音選択機会との、２つの選択機会を作っている。
【０１５４】
この４つの選択機会においては、それぞれの選択機会毎に、１０個のキースイッチが入力を待っていることになる。
【０１５５】
最初の選択機会となるノーマルモードの子音入力機会においては、入力を要する仮名文字が、図１と図２の場合には、清音か濁音かが、まず最初に判断され、濁音である場合には、機能スイッチによりシフトモードにシフトされる。
【０１５６】
また、図３と図４の場合には、直音か拗音かが、まず最初に判断され、拗音である場合には、機能スイッチにより、シフトモードにシフトされる。
【０１５７】
次に、子音の情報をキー入力する入力機会におけるノーマルモードおいては、図２の清音領域(２)、および図４の直音領域(６)において、各キースイッチのキー番号には、そのキー番号に対して昇順に、五十音図の「あ」段各仮名文字が対応するように、子音が配置されている。
例えば、キー番号１〜０の順に、「あかさたなはまやらわ」の順に、各子音を配置してある。
【０１５８】
シフトモードにおいても、図２の濁音領域(３)、および図４の拗音領域(７)の各キースイッチのキー番号には、ノーマルモードにおいて配置した子音と対応した子音が配置されている。
【０１５９】
ただし、図２においては、清音の行より濁音の行が少ないので、清音の子音と対応のないキー番号の所には適宜の行を配置する。
例えば、キー番号５には、例外とする「ふ」行を、キー番号７には、半濁音の「ぱ」行を配置してある。
【０１６０】
図２、図４ともキー番号１には、「あ」行を配置してあるが、この「あ」行は、本来母音であるので、子音も濁音もない。
【０１６１】
しかし、図２、おいては濁音の所に、図４においては、拗音の所に、小文字の「ぁぃぅぇぉ」を選択しうるように配置してあり、母音の選択に関しては、文字の大小の関係で、互いに関連させてある。
【０１６２】
また、図２におけるノーマルモードのキー番号８の「や」行は、拗音領域(７)において、小文字の「ゃ」「ゅ」「ょ」が、互いに文字の大小関係で関連付けされて配置されている。
【０１６３】
同様に、図４においけるノーマルモードのキー番号８の「や」行は、シフトモードの拗音領域(７)で、互いの文字の大小関係で関連付けされている。
【０１６４】
以上のように、図２及び図４に示す如く、最初の子音の選択においては、第１の子音選択キー群(４)のノーマルモードにおいて、五十音図の「あ」段の仮名文字の配列を知ることにより、どのキー番号にどの子音が割り付けられているかが推測、または推定もしくは類推、連想することができる。
【０１６５】
また、図２および図４の第２子音選択キー群(５)のシフトモードにおける子音の割付は、図２の濁音領域(３)においては、入力目的の濁音の子音から、清音の子音と同じキー番号を推測または推定し、図４の拗音領域(７)においては、入力目的の拗音の子音から、直音と同じキー番号を推測または推定することができる。
【０１６６】
図２、図４ともに、第１母音選択キー群(８)および第２母音選択キー群(９)の母音入力機会においては、キー番号１〜５、キー番号６〜０、それぞれ昇順に、単母音(10)と拗母音(11)とが、主要母音部「あいうえお」を対称的に配置させて、割り付けられている。
【０１６７】
この、単母音(10)と拗母音(11)の配置は、全ての仮名文字の母音入力機会について不変であり、覚えるのも容易であるとともに、母音の配列順序は、五十音図の「あ」行と同じである。
【０１６８】
五十音図に関しては、日本語を母語する者にとっては、「あ」段の子音配列も、「あ」行の母音配列も、既知である。
【０１６９】
以上のことから、入力目的の仮名文字が決まると、子音の種類と、母音の種類と、清音、濁音、直音、拗音の各属性を知ることにより、全ての仮名文字を入力することができる。
【０１７０】
この、入力目的の仮名文字を各属性に分けることは、日本語を母語する者にとっては極めて容易である。
【０１７１】
このように、本発明においては、入力目的の仮名文字の子音と母音を入力する選択機会において、清音、濁音、直音、拗音に応じたキーの入力領域を選択しながら、子音と母音の種類に該当するキーを入力することにより、入力を要する仮名文字が容易に入力できるようになっている。
【実施例３】
【０１７２】
図５は、図１に示す第１の実施要領に基づいて構成された、図２に示す文字選択マトリクスの変形例を示すものである。
【０１７３】
図２においては、五十音図に基づいて、キー番号１の所には、母音「あ」行が割り当てられていた。
【０１７４】
しかし、図５においては、母音は、本来子音の要素を持たないので、キー番号１〜０の中には含めないようにし、別のグループのキー、例えば機能キーとしても操作しうる補助キー(Ｓ1)に割り付けるようにする。
【０１７５】
この補助キー(Ｓ1)は、第１子音選択キー群(４)においては、キー番号１１の所に配置され、文字入力に際しては、他の選択キー群のスイッチと同等に扱われる。
【０１７６】
補助キーとしては、前記した第１子音選択キー群(４)を、ノーマルモードからシフトモードにシフトするとき操作する、前記機能キースイッチに該当する別の補助キー(Ｓ2)がある。
【０１７７】
これにより、図５の文字選択マトリクスは、文字入力を専用とする１０個のキースイッチと、機能キースイッチをなす２個の補助キー(Ｓ1)(Ｓ2)とによる、１２個のキースイッチ群により、文字入力の操作が行われるようになる。
【０１７８】
文字入力専用の１０個のキースイッチ群は、キー番号１〜９の順に、「か」行から順に「わ」行までの子音が割り付けられている。
【０１７９】
清音領域(２)におけるキー番号０には、一般に半濁音とする「ぱ」行が割り付けられている。
【０１８０】
本発明においては、「ぱ」行は、「は」行の子音とは異なる子音を持つ独立した清音からなるものとする。
【０１８１】
すなわち、「ぱ」行は、表１５に示す如く、直音と拗音の構成においても、他の直音と拗音の構成に対して、何ら異なる要件を持たない。
【０１８２】
この、従来半濁音とする「ぱ」行を、清音領域(２)に含めることにより、選択を要する仮名文字を、清音と濁音に分けるのに、例外となるものがなくなる。
【０１８３】
このことは、仮名文字を清音と濁音に分けるに際して、この文字は、濁音でないから清音であるとする分け方が、比較する濁音の数が少ないこと、および濁音には特異性があることから、直感的に行われて、判断が速い。
【０１８４】
この際に、例外となるものがある場合は、その例外の要件を満たすか否かを、別に考慮しなくてはならないので、判断が煩雑になる。
【０１８５】
次に、濁音領域(３)を、第１子音選択キー群(４)のシフトモードに設定することにより、かつ図２では先頭の「あ」行であったものを、図５では、補助キー(Ｓ1)で選択するようにすることにより、キー番号６〜０の行に、仮名文字としては未定義となる空き行ができ、この空き部分に、数字、記号、英字などを設定することができる。
【０１８６】
また、清音領域(２)において、「な」行が設定されているキー番号４の行は、「な」行には濁音がないので、濁音領域(３)のキー番号４の行は、本来未定義となるが、この行には、「ふ」の子音（ダミー）を設定しておき、拗音領域(７)において、表６の４行目において◎を付した「ふぁ」行の拗音を入力できるようにしてある。
【０１８７】
この場合は、前述の例外を少なくするとすることに、反するが、この例外は、通常の入力操作において、この濁音領域(３)のキー番号４に「ふぁ」行の拗音が設定されていることを知らなくとも、他の仮名文字の入力操作における操作の妨げにはならない。
【０１８８】
コンピュータ用語や、その他の分野における技術用語などを使用する文章の入力においては、「ふぁ」行の拗音が多く出現するので、濁音領域(３)のキー番号４に「ふぁ」行の拗音が設定されていることを知ることにより、利便性が向上する。
【０１８９】
文字入力用の補助キー(Ｓ1)は、子音入力待ち状態をなす第１選択状態(4a)における清音領域(２)でオンすると、ダミーの子音が入力されたものとして、第２選択状態(12)に進み、ここで、直音領域(６)の各母音に応じたキー番号１〜５に応じて母音が選択される。
【０１９０】
第２選択状態(12)の拗音領域(７)においては、「あ」行の母音には、仮名文字として入力するべき拗母音がないので、そこには、「。」「、」「・」「SP」（スペース）等の仮名文字以外の必要記号を設定する。
【０１９１】
前記濁音領域(３)のキー番号４の行には、促音「っ」、撥音「ん」が設定されている。
【０１９２】
また、濁音領域(３)の補助キー(Ｓ1)には、小文字の「ぁぃぅぇぉ」が設定されている。
【０１９３】
その他の空白部は、未定義でどのような文字や記号等を設定してもよいが、無関係に未定義部分を埋めても、それを選択するのに関連付けができないと実質的に選択に使用できないので、未定義のままにしておく方が誤入力を少なくする。
【実施例４】
【０１９４】
図６は、図５の文字選択マトリクスの入力に適した、１２個のキースイッチ群からなるキースイッチ手段（15A）の実施態様の１例を示すものである。
【０１９５】
キースイッチ手段(15A)は、３列４行のマトリクス構造、通称テンキー配列の構造に、複数個のキースイッチ(16)を配列してある。
【０１９６】
この３列４行からなるマトリクス配列のキースイッチ手段(15A)は、携帯電話やパソコン、その他あらゆる電子機器端末の数字入力に利用されている汎用構造をなしている。
【０１９７】
本発明において、キースイッチ手段(15A)における３列４行のマトリクス構造をなすキー配列は、従来と同様としてあるが、各キースイッチ(16)へのスイッチ番号の振り方や補助キースイッチ(Ｓ1)(Ｓ2)をなす２個の機能スイッチの位置等は、後述する本発明の実施要領に応じて、割り当ててある。
【０１９８】
３列４行からなるマトリクス構造のキースイッチ手段(15A)は、１０個の文字入力用キースイッチ群(17)と、２個の補助キースイッチ(Ｓ1)(Ｓ2)とからなる、１２個の各キースイッチ(16)の集まりでなりる。
【０１９９】
補助キー(Ｓ1)(Ｓ2)は、３列４行のマトリクス構造における２列目の２行目と３行目に設けられる、各キースイッチ(16)全体から見て、中央となるものに割り当ててある。
【０２００】
補助キースイッチ(Ｓ1)(Ｓ2)は、操作者に分かり易く、かつ機能区分を明瞭にするため、囲み線(18)で囲んであり、文字入力用キースイッチ群(17)の外周も囲み線(19)で囲んである。
【０２０１】
また１列目と３列目の上下中央には、分離線(20)を引いて、第１の文字入力用キースイッチ群(17a)と第２の文字入力用キースイッチ群(17b)とを、目視的に分けてある。
【０２０２】
なお、以下の説明においては、第１の文字入力用キースイッチ群(17a)を、上方の文字入力用キースイッチ群(17a)として、また第２の文字入力用キースイッチ群(17b)を、下方の文字入力用キースイッチ群(17b)として、それぞれ組をなす位置関係で分けて説明する。
【０２０３】
これにより、キースイッチ手段(15A)は、中央に補助キースイッチ(Ｓ1)(Ｓ2)を配設し、それの周囲に、上方と下方それぞれに５個ずつに分けて、上方の文字入力キースイッチ群(17a)と下方の文字入力キースイッチ群(17b)が、補助キースイッチ(Ｓ1)(Ｓ2)をそれぞれ中心として、模式的に半円弧をなすように配設されている。
【０２０４】
上方の文字入力キースイッチ群(17a)には、１列２行目のキースイッチ(16a)を先頭にして、時計回りに順次１番から５番までキースイッチ番号が付与されている。
【０２０５】
同じく、下方の文字入力キースイッチ群(2b)には、１列３行目のキースイッチ(16b)を先頭にして、反時計廻りに６番から０番（１０番目を示す）までキースイッチ番号が付与されている。
【０２０６】
このキースイッチ番号は、上下の文字入力キースイッチ群(17a)(17b)がともに、左から右に昇順に並ぶ構造をなし、左から右方向に向けて文字を並べる母音「あ」行の文字の並びに合わせてある。
【０２０７】
その結果、上下の文字入力キースイッチ群(17a)(17b)それぞれに対応付けされた各母音の文字は、上段の文字列、下段の文字列として、目視的にも、触覚による構造的にも分かり易く、上下の文字入力キースイッチ群(17a)(17b)が各キースイッチ(16)に対応することになる。
【実施例５】
【０２０８】
図７は、図５に示す上記キースイッチ手段(15A)の変形例を示すものである。
【０２０９】
図７に示すキースイッチ手段(15B)は、上方の文字入力キースイッチ群(17a)と下方の文字入力キースイッチ群(17b)を、真円の円弧状に配列し、その円弧状のキースイッチ(17a)(17b)の内側における左右中央の上下に補助キースイッチ(Ｓ1)(Ｓ2)を、同じく上下中央の左右に補助キースイッチ(Ｓ3)(Ｓ4)を、４方向操作指示キーと同様のキー配列をもって配置し、かつその円弧の中心部には、もう１つ補助キースイッチ(Ｓ5)を配置してなる。
【０２１０】
上下をなす補助キースイッチ(Ｓ1)(Ｓ2)は、前記マトリクス配列のキースイッチ手段(15A)のものと同様に機能させ、左右および中央をなす補助キースイッチ(Ｓ3)(Ｓ4)(Ｓ5)は、他の機能を割り付けて使用される。
【０２１１】
例えば、後述するが、左側の補助キースイッチ(Ｓ3)にはバックスペースを、右側の補助キースイッチ(Ｓ4)にはスペースを、中央補助キースイッチ(Ｓ5)には確定、又は変換等の機能を割り付けて使用する。
【０２１２】
また、キースイッチ手段(15B)を、文字入力モード以外のモードで使用する場合には、上下左右の四方に並ぶ補助キースイッチ(Ｓ1)〜(Ｓ4)を４方向操作指示キーとして機能させ、それの中央の補助キースイッチ(Ｓ5)は、確定、エンター、次へ進む等の機能スイッチとして機能させるように使用することができる。
【０２１３】
勿論、文字入力以外のモードにおいて、上下の文字入力キースイッチ群(17a)(17b)は、そのまま数字入力モードの入力キースイッチ群として利用できるし、また、単独の機能を設定して、各種の機能スイッチとしても利用できる。このことは、図２に示すマトリクス配列のキースイッチ手段(15A)においても同様である。
【実施例６】
【０２１４】
図８は、図６，図７とは別なキースイッチ手段の実施態様を示すものである。
【０２１５】
図８における（ａ）は、第１の文字入力用キースイッチ群(17a)と第２の文字入力キースイッチ群(17b)における各キースイッチ(16)を、それぞれ一列に並べて直列に配置するとともに、補助キースイッチ(Ｓ1)(Ｓ2)を、２個並びに配置して、両キースイッチ群(17a)(17b)の間に直列に配置したキースイッチ手段(15C)の例を示す。これの具体的使用例は後述する。
【実施例７】
【０２１６】
図８における（ｂ）は、第１の文字入力用キースイッチ群(17a)と第２の文字入力キースイッチ群(17b)における各キースイッチ(16)を、それぞれ一列に並べて直列に配置するとともに、その両キースイッチ群(17a)(17b)を上下に重ねて並列に配置し、かつ２個の補助キースイッチ(Ｓ1)(Ｓ2)を、それぞれ両キースイッチ群(17a)(17b)の側端に直列配置したキースイッチ手段(15D)の例を示す。これの具体的使用例は後述する。
【０２１７】
なお、（ａ）（ｂ）において、補助キースイッチ(Ｓ1)(Ｓ2)を、第１または第２の文字入力キースイッチ群(17a)(17b)から位置的に離れたところに、配置することもできる（図示略）。
【実施例８】
【０２１８】
図９は、図６に示す３列４行のマトリクス構造をなすキースイッチ手段(15A)を、多機能ディジタル機器のコントローラ(21A)に適用した文字入力装置の実施態様の一例を示し、図はコントローラ(21A)の正面斜視図で、以下それについて説明する。
【０２１９】
コントローラ(12Ａ)は、多機能ディジタル機器がインターネットや双方向ＴＶに接続して、通信用の文字データの入力を要求されるもので、上下の長手方向のほぼ中央部に、図６に示すキースイッチ手段(15A)と、その上方に液晶表示画面(22)を備えている。
【０２２０】
コントローラ(21A)には、多機能ディジタル機器を制御する多数のスイッチ(Ｗ)が設けられているが、本発明装置と係わりのないものについては説明を省略する。
【０２２１】
液晶表示画面(22)は、多機能ディジタル機器を制御す場合にも使用されるが、以下の説明においては、本発明の文字入力装置と係わる部分のみについて説明する。
【０２２２】
液晶表示画面(22)には、選択された文字を表示する入力領域(23)と、現在のキートップ選択機会において選択可能な要素に係る表示模様、例えば子音に係る行を示す文字、「かさたなは」「まやらわぱ」、および選択可能な母音によって選択される目的文字や数字、記号などが表示されるアシスト表示領域(24)が、設けられている。
【０２２３】
入力を目的とする仮名文字は、前述の如く、子音と母音、清音と濁音、直音と拗音、に分けて推測したり連想したりして、明示的表示がなくとの入力することは可能であるが、記号類や英字は、アシスト機能がないと、入力し難い。
【０２２４】
本発明の文字入力においても、キースイッチの入力機会において、現在のキーには何が割り当てられているかを、明示的に表示する方が入力し易い。
【０２２５】
この、キー割り当ての明示的表示に際して、本発明においては、子音に係る入力においても、５個ずつ、２組に分けて表示され、母音に係る入力は、当然５個ずつ２組に分けて表示される。
【０２２６】
この、５個ずつに分けて表示される文字列は、その文字列に対応するキー番号を、明示的に表示しなくとも、その文字列の配列構造から容易に分かる。
【０２２７】
例えば、「かきくけこ」の文字列を、アシスト表示領域(24)で見たとき、「か」は先頭で１，「こ」は終端で５，「く」は中央で３，「き」は右中で２，「け」は左中で４と、対応するキー番号が分る。
【０２２８】
別の組に分けられた「まやらわぱ」も同様に、この組は６〜０に対応することは予め既知であるから、先頭を６、終端を０として、前記と同様に対応するキー番号が分る。
【０２２９】
さらに、この表記が、図５に示してある、記号「（）＋−＝」と「？！＆＃＊」であっても、５個ずつの文字列であれば、どの記号が、どこキー番号に対応するかは、容易に分る。
【０２３０】
このように、５の数を持つ並びは、目視的に、区分容易性と、可付番容易性の特徴を持つている。
【０２３１】
キースイッチ手段(21A)は、前述したように、３列４行のマトリクス配列をなすものであるが、図６で説明したように、中央に補助キースイッチ(Ｓ1)(Ｓ2)を配置し、その周囲は囲み線(18)で囲んである。
【０２３２】
各キースイッチ(２)の周囲も囲み線(19)で囲まれ、１列と３列の中央には分離線(20)で、上下を分離してある。
【０２３３】
このように、上記アシスト表示領域(24)に表示された文字列と、その文字列に対応する上方の文字入力用キースイッチ群(17a)と、下方の文字入力用のキースイッチ群(17b)は、各囲み線(18)(19)(20)で明瞭に区分されているから、キートップにキー番号が付設してなくとも、前記５の数の特徴により、キー番号とキーポジションが容易に分かる。
【０２３４】
また、マトリクス構造においては、２、４、７、９、のキー番号は、四隅に位置し、３、５のキー番号は、中央上下に位置し、１，５のキー番号は、上方の左右両端に位置し、６，７のキー番号は、下方の左右両端に位置する特徴を持ち、キー操作の訓練や学習の効果が、進み易くなっている。
【０２３５】
一方、上方の補助キースイッチ(Ｓ1)の周囲を取り巻くように配置され、かつ時計回りに昇順に、１〜５のキー番号が付設された、上方のキースイッチ群((17a)は、直音の母音の選択機会の全てにおいて、対応文字を変えることなく、単母音が割り当てられる。すなわち「あいうえお」である。
【０２３６】
同様に、下方の補助キースイッチ(Ｓ2)の周囲を取り巻くように配置され、かつ反時計廻りに昇順に、６〜０のキー番号が付設された、下方のキースイッチ(17b)は、拗音の母音選択機会の全てにおいて、対応文字を変えることなく、拗母音が割り当てられる。すなわち、「ゃぃゅぇょ」である。
【０２３７】
なお、実際には、子音の文字や母音、拗母音の文字が出力されるのではなく、それらの要素（因子、またはパラメータ）をもって、仮名文字を特定するために文字マトリクスに係わるものである。
【０２３８】
このように、本発明の文字入力装置は、液晶表示画面(22)などに、アシスト表示領域(24)を設けることにより、文字入力の容易性を増す。
【実施例９】
【０２３９】
図１０は、図６に示す３列４行のマトリクス構造をなすキースイッチ手段(15A)を、携帯用ゲーム機(21B)に適用した実施例を示す。
【０２４０】
携帯用ゲーム機(21B)は、既存のもので、本発明を適用するに際して、ハードウエア的にはなんら新規な構造は追加していない。
【０２４１】
図１０におけるキースイッチ手段(15B)は、ゲーム機(21B)の液晶表示画面(22)において、図６と同様のキートップ模様(25)を表示するとともに、その液晶表示画面(22)の適所、例えば上方部分には、選択された文字を表示する入力領域(23)を設けてある。
【０２４２】
また、キートップ模様(25)には、その模様とオーバーラップさせて、現在の選択機会において選択可能な子音に係る行を示す文字、「かさたなは」「まやらわぱ」、および選択可能な母音によって選択される目的文字や数字、記号などが表示されるアシスト表示領域(24)が設けられている。
【０２４３】
ゲーム機(21B)の液晶表示画面(22)には、ゲーム機(21B)の操作スイッチ(26)(27)のいずれかで、液晶表示画面(22)内を移動しうるようにしたカーソルポインタ(28)が設けられ、そのカーソルポインタ(28)は、各キースイッチ(16)に該当するキートップ模様(25)を指し示し、入力を要するキートップ模様(25)のところで、入力を確定する、機能キー(29)のいずれかを操作して、自体のあるキースイッチに対して入力操作するのと同様の文字入力の選択操作をする。
【実施例１０】
【０２４４】
図１１は、図６に示す３列４行のマトリクス構造をなすキースイッチ手段(15A)を、携帯用電子辞典(21C)に適用した実施例を示す。
【０２４５】
図１０における携帯用電子辞典(21C)は、蓋(30)の内面に設けられた辞典としてに検索結果個表示する液晶表示画面(22)と、本体(31)の上面に設けられた文字入力用の液晶表示画面(22A)を備えている。
【０２４６】
従来における本体(31)の上面には、多数の小型のキースイッチが、パソコンのキーボードと同様配列、または仮名文字の五十音順に、配列してあった。
【０２４７】
図１０における文字入力の液晶表示画面(22A)の上面には、タッチパネル(32)を設けてあり、入力用ペン(33)により、その入力用ペン(33)が指し示す液晶表示画面(22A)の座標値を、入力しうるようになっている。
【０２４８】
文字入力用の液晶表示画面(22A)には、図６に示すキースイッチ手段(15A)のキートップ模様(25)が表示さるとともに、その液晶表示画面(22A)には、選択された文字を表示する入力領域(23)と、現在の選択機会において選択可能な子音に係る行を示す文字、「かさたなは」「まやらわぱ」、および選択可能な母音によって選択される目的文字や数字、記号などが表示されるアシスト表示領域(24)が、キートップ模様(25)と、オーバーラップして設けられている。
【０２４９】
入力領域(23)は、本体(31)の上面全体を文字入力用の液晶表示画面(22A)とした場合、半分以上の広い入力画面となり、文章を入力したり、編集したりするワードプロセッサの入力画面として使用しうる。
【０２５０】
この、文字入力の液晶表示画面(22A)と、検索結果を表示する液晶表示画面(22)を連動させ、本体(13)の機能を、辞典検索だけでな辞書検索を兼ねるとともに、文書校正、編集機能を持たせたアプリケーションを稼働しうるようにすると、携帯情報端末（ＰＤＡ）と同等の携帯型のワープロとなる。
【０２５１】
図１２は、図１０の携帯用ゲーム機(21B)の液晶表示画面(22)、および図１１の携帯用電子辞典(21C)の文字入力用の液晶表示画面(22A)に示すキースイッチ(15A)の文字選択要領を説明する、アシスト表示領域(24)の各種の表示状態を示すものである。
【０２５２】
図１２は、図５に示す文字選択マトリクスによる各文字選択機会におけるアシスト表示領域(24)の表示状況を示している。
【０２５３】
（ａ）は、子音入力待ち状態のアシスト表示領域(24)の表示状態で、各キートップ模様(25)上には、そのキー番号に応じた子音を持つ「あ」段の仮名文字「かさたなはまやらわぱ」が、順次に表示されている。
なお、図中、符号は（ａ）のみに付して、他は省略する。
【０２５４】
補助キースイッチ(Ｓ1)には、母音文字「あ」行を選択するために、ダミーの子音入力を行わせる表示「あ」を表示してある。
【０２５５】
補助キースイッチ(Ｓ2)には、濁音の入力のためにシフトモードに移行させる「濁音」を表示してある。
【０２５６】
このノーマルモードで清音領域(２)をなす第１選択状態(4a)を、デフォルトの標準状態として、１つの仮名文字の選択を終了すると、常に優先的にこのモードに戻る。
【０２５７】
次に、「か」〜「ぱ」のいずれか、もしく「あ」の母音文字のダミーが入力されると（ｂ）の表示状態に移り、「濁音」が入力されるとシフトモードに移行して、（ｃ）の表示状態に移る。
【０２５８】
（ｂ）の表示状態においては、各キースイッチの各キートップ模様(25)には、
上段に直音の行を、下段に拗音の行を、それぞれ表示している。
この表示状態においては、キートップ模様(25)のいずれかに、選択目標文字が必ず１個含まれている。
【０２５９】
本発明の主旨に沿えば、その選択目標文字が直音であれば、上段のキースイッチ群(17a)によってそれの母音を選択し、拗音であれば、下段のキースイッチ群(17b)によって、それの拗母音を選択することにより、選択目標文字が選択されるようになっている。
【０２６０】
しかし、各キートップ模様(25)のアシスト表示領域(24)に、直接選択目標文字が表示されていれば、母音、拗母音、等の属性を考慮することなく、直接的に選択目標文字を目視して、それの選択が容易に行われる。
【０２６１】
次に、（ｃ）は、シフトモードにおいて、子音入力待ち状態のアシスト表示領域(24)で、各キートップ上には、そのキートップに応じた子音を持つ「あ」段の濁音の仮名文字「がざだば」が、また直音において子音に対応がある濁音の行を、直音とキー番号を同じくして、順次に表示されている。
【０２６２】
直音における「な」行には、濁音がないので、そのキー番号には、図５に示す如く「ふ」行のダミーを指定してあり、拗音領域(７)において、「ふ」の拗音を選択できるようにしてある。
【０２６３】
補助キースイッチ(Ｓ1)には、母音文字「あ」行の小文字を選択するために、ダミーの子音入力を行わせる表示「ぁ」を表示してある。
【０２６４】
補助キースイッチ(Ｓ2)には、ノーマルモードの第１選択状態(４)に戻るための「戻る」を表示してある。
【０２６５】
（ｃ）におけるキー番号６〜０の各キースイッチには、図５に示す数字、記号、英字における表記記号が表示されている。
【０２６６】
（ｄ）の表示状態においては、（ｂ）と同じく、各キースイッチの各キートップ模様(25)には、上段に直音の濁音の行を、また下段に濁音の拗音の行を、それぞれ表示している。
【０２６７】
この（ａ）の表示状態においては、キートップ模様(25)のいずれかに、選択目標文字が必ず１個含まれているので、この段階においては、選択目標文字が表示されたキースイッチを選択すればよい。
【０２６８】
上記（ｃ）において、下段の「数」「記」「AJ」「KT」「UZ」を選択した場合には、（ｄ）のアシスト表示領域(24)には、図５に示すように、各キースイッチに対応させて、数字、記号、英字を表示させる。
【０２６９】
この、記号、英字の部分は、通常アシスト表示領域(24)がなければ、記憶に頼るしかないので、選択が非常に困難である。
【０２７０】
上述の如く、本発明においては、画像表示画面に、前記キースイッチ手段(15A)(15B)(15C)を表示させて、ポインティング手段によりキーを選択するようにすると、アシスト表示領域(24)を有効に利用して、入力操作を容易にすることができる。
【実施例１１】
【０２７１】
図１３は、図７に示すキースイッチ手段(15B)を、携帯電話(21D)に適用した例を示す。
【０２７２】
携帯電話(21D)においては、キースイッチ手段(15B)における円型をなす上方の文字入力用のキースイッチ群(17A)と、下方の文字入力用のキースイッチ群(17B)を、ダイヤル番号入力用のキースイッチ群として使用し、中央で４方に並ぶ補助キースイッチ(Ｓ1)(Ｓ2)(Ｓ3)(Ｓ4)を、４方向指示キースイッチとして、メニューの選択や、カーソル移動に使用し、中央の補助キースイッチ(Ｓ5)を、決定や、確定、エンター等の機能キーとして使用する。
【０２７３】
文字入力は、図２，図４，図５の文字選択マトリクスのいずれかに応じて行う。
【０２７４】
図１４は、図７に示すキースイッチ手段(15B)を、携帯情報端末（ＰＤＡ）(21E)に適用した例を示す。
【０２７５】
従来の携帯情報端末（ＰＤＡ）においては、通常のアプリケーションを、少ないキー数によって操作することを目的にするため、スイッチ操作面には、操作キー数を最小限にしてある。
【０２７６】
そのため、文字入力するには、タッチパネルと入力ペンを利用した、特殊な手書き入力、および仮名タブレット模様や英字タブレット模様を使用している。
【０２７７】
それにも係わらず、標準キーボードと同等のキー数を備えた極小型のキーボードを、外付けしたり、内部に内蔵させて使用時引き出すなどして利用している。
【０２７８】
図１４に示す携帯情報端末(21E)は、図７に示すキースイッチ手段(15B)を設けて、少ないキーの数により、文字入力を行うとともに、アプリケーションのキー操作も、そのキースイッチ手段(15B)で行うことができる。
【０２７９】
図１５は、図７に示すキースイッチ手段(15B)を、コンピュータ用入力端末(21F)に適用した例を示すものである。
【０２８０】
上記携帯電話(21D)、および携帯情報端末(21E)は、共に液晶表示画面(22)を備え、その液晶表示画面(22)には、入力領域(23)とアシスト領域(24)が設けられている。
【０２８１】
コンピュータ用入力端末(21F)は、フルキーボードと互換性を保ち、かつ多機能の入力用端末としても利用できる。
【０２８２】
コンピュータ用入力端末(21F)は、下端部(34)を片手で把持しうる太さで横断面６角形をなした柱状体でなり、周回り６面をなす各平面における正面平面部(35)には、上方に液晶表示画面(22)、下方に複数キースイッチからなるのキースイッチ群(36)、その中央に図７に示すキースイッチ手段(15B)を備えている。
【０２８３】
正面以外の他の５個の側面部(37)にも、それぞれの側面に１個または複数のキースイッチ(38)が設けられ、それらのキースイッチ(38)には、フルキーボードにおける文字入力用キー以外の機能キーが適当に割り付けられている。
【０２８４】
さらに、正面以外の５個の各側面部(37)において上方に設けた各キースイッチ(38a)には、モード切替機能が割り付けられて、正面のキースイッチ群(36)のキー割付を変更できるようになっている。
【０２８５】
モード切替機能は、例えば、キースイッチ手段(15B)を文字入力モードにしたり、その文字入力モードの入力言語を、英語と日本語を切り換えたりする。
【０２８６】
また、モード切り替え機能は、正面下方の複数のキースイッチ群(36)を、キーボードにおけるファンクションキーに対応させたり、アプリケーションソフトに応じたショートカットキーに対応させたりすることもできる。
【０２８７】
このコンピュータ用入力端末(21F)は、通常左手で操作し、右手ではマウス等のポインティングデバイスを操作する。
【０２８８】
液晶表示画面(22)には、文字入力用のキースイッチ手段(15B)が入力した文字を表示する入力領域(23)と、選択可能文字等の選択をアシストするアシスト表示領域(24)を備え、入力領域(23)に表示した文字は、コンピュータに送る前に表示しておく領域にもなっている。
【０２８９】
また、液晶表示画面(22)は、各モードにおいて、正面下方のキースイッチ群(36)に割り当てられた機能を表示することもできる。
【０２９０】
このように、本発明によれば、文字入力を少ないキーの数で行えることから、フルキーボードと互換性のあるコンパクトで片手操作の容易なコンピュータ用入力端末(21F)を提供できる。
【０２９１】
上記キースイッチ手段(15B)の文字入力操作手順は、図１２に示すものと同様なので、それの詳細な説明は省略する。
【実施例１２】
【０２９２】
図１６は、図８の（ａ）に示すキースイッチ手段(15C)を、デジタルテレビ(21G)に適用した例を示す。
【０２９３】
デジタルテレビ(21G)の画像表示画面(39)の最下段には、入力領域(23)と、キースイッチ(15C)のキートップ模様(25)を表示するスイッチ領域(40)が設けられている。
【０２９４】
スイッチ領域(40)には、左右に移動するカーソルポインタ(28)が表示され、キートップ模様(25)の各キートップを指し示すことができるようになっている。
【０２９５】
図１７は、図１６と同様に、図８の（ａ）に示すキースイッチ手段(15C)を、図１１同様の電子辞典(21H)に適用した例を示す。
【０２９６】
図１７に示す電子辞典(21H)は、図１１に示す電子辞典(21C)同様のものであるが、検索結果を表示する液晶表示画面(22)には、選択した文字を表示する入力領域(23)と、キースイッチ手段(15C)のキートップ模様(25)を表示し、そのキートップ模様(25)にオーバーラップさせて、現在の選択機会において選択可能な子音に係る行を示すアシスト表示領域(24)が、一緒に設けられている。
【０２９７】
液晶表示画面(22)の前面には、タッチパネル(32)が設けられ、入力用ペン(33)により、キートップ模様(25)を指し示すことにより、キースイッチとして働くようになっている。
【０２９８】
さらに、図１８も、図１６、図１７と同様に、図８の（ａ）に示すキースイッチ手段(15C)を、図１４と同様の携帯情報端末(2II)に適用した例を示す。
【０２９９】
図１７に示す携帯情報端末(21I)は、液晶表示画面(22)の最下段に、キースイッチ手段(15C)のキートップ模様(25)を表示し、そのキートップ模様(25)にオーバーラップさせて、現在の選択機会において選択可能な子音に係る行を示すアシスト表示領域(24)が、一緒に設けられ、それの少し上方に、入力領域(23)が設けられている。
【０３００】
この携帯情報端末(21I)の場合、入力領域(23)を、アプリケーションが要求する入力位置に直接入力する仕様とすると、仮名文字入力に要する表示面積が、最下段１行で済み、アプリケーションが使用する表示面積を圧迫しない。
【０３０１】
図１９は、上記３つの電子機器、すなわち、デジタルテレビ(21G)、電子辞典(21H)、携帯情報端末(2II)に適用されたキースイッチ手段(15C)による、仮名文字入力の入力要領を説明する、キートップ模様(25)とアシスト領域(24)の表示状態を示すものである。
なお、符号は、（ａ）のみに付して、他は省略する。
【０３０２】
図１９における（ａ）は、図１２の（ａ）と同様の図である。
【０３０３】
図１９における（ｂ）は、図１２の（ｂ）と、同じく図１９の（ｃ）は、図１２の（ｃ）と同様の図である。
【０３０４】
図１９のキースイッチ手段(15C)は、図８の（ａ）で説明した如く、３列４行のマトリクス構造をなすキースイッチ手段(15A)を、上方の文字入力用キースイッチ群(17a)と、下方の文字入力キースイッチ群(17b)を横一列に並べて、その間に、２個の補助キースイッチ(Ｓ1)(Ｓ2)を並べたものであるから、図１２の各キートップをそのように並べると、図１２の各（ａ）、（ｂ）、（ｃ）は、図１９の（ａ）、（ｂ）、（ｃ）にそれぞれ対応し、それの詳細な説明は省略する。
【０３０５】
図１９における（ｄ）、（ｅ）、（ｆ）は、（ｃ）の状態において、「数」、「記」、「AJ」をそれぞれ選択した時の第２選択状態(12)における母音入力待ちの状態を示している。
【０３０６】
第２選択状態(12)において、仮名文字を選択したときは、通常デフォルトに設定されているノーマルモードの第１選択状態(4a)に戻るように制御される。
【０３０７】
図５に示す文字選択マトリクスにおいては、清音は２ストローク、濁音はシフト操作が加わって３ストロークで操作される。
【０３０８】
これは、仮名文字の選択が、子音と母音において、それぞれ１回ずつの選択機会を生じているからで、常に１つの仮名文字が選択されると、次の仮名文字の選択準備に入り、制御はデフォルトのノーマルモードの第１選択状態(4a)に戻すように働いている。
【０３０９】
図１９における（ｄ）、（ｅ）、（ｆ）を見ると分かるように、数字、記号、英字は、同じ種類の文字が引き続いて入力要求されることが多く、この場合、１文字選択後に、前記デフォルト状態に戻すと、余分なストロークが増して、入力効率を低下させる。
【０３１０】
そこで、数字、記号、英字、を選択する（ｄ）（ｅ）（ｆ）の状態で、文字入力した後は、その状態を維持したまま、その状態で選択機会を与えられている各キャラクタを、シングルストロークによる入力をさせるようにする。
【０３１１】
このようにすれば、例えば、通常の仮名文字と同じに５桁の数字を入力すると、１５ストロークを要するところ、シングルストロークの入力であれば、最初の１文字は３ストロークであるから７ストロークで済む。
【０３１２】
この際、補助キースイッチ(Ｓ1)は、手順を１つ前の（ｃ）に戻すようにして、英字の組の選択を容易にするとともに、補助キースイッチ(Ｓ2)は、デフォルトの（ａ）の状態に戻すようにする。
【０３１３】
このように、液晶表示画面(22)とアシスト表示領域(24)を使用し、キースイッチ手段(15C)のように、キートップを横一列に並べて構成すると、選択するキートップの数が５個ずつ２組になっているので、各組毎に視認性が高く、選択目的のキーを探すようなことは生じない。
【０３１４】
また、適用される電子機器に、特に携帯用の小型も液晶画面を持つ機器においては、文字入力に専有される面積が小さいので、アプリケーションが使用する表示画面を圧迫しない。
【図面の簡単な説明】
【０３１５】
【図１】本発明の一実施要領を示す、仮名文字の選択入力要領の概念図である。
【図２】図１の概念図をより具体的に示した文字選択マトリクスである。
【図３】本発明の別の実施要領を示す、仮名文字の選択入力要領の概念図である。
【図４】図３の概念図をより具体的に示した文字選択マトリクスである。
【図５】図２の変形例を示す文字選択マトリクスである。
【図６】図５の文字選択マトリクスに適用されるのキースイッチ手段の正面図である。
【図７】図５の変形例を示すキースイッチ手段の正面図である。
【図８】（ａ）（ｂ）は、図６、図７のキースイッチ手段の変形例を示すキースイッチ手段正面図である。
【図９】３列４行のマトリクス構造をなすキースイッチ手段を適用した、多機能ディジタル機器のコントローラの正面斜視図である。
【図１０】図６に示す３列４行のマトリクス構造をなすキースイッチ手段を適用した、携帯用ゲーム機の正面図である。
【図１１】図６に示す３列４行のマトリクス構造をなすキースイッチ手段を適用した携帯用電子辞典の斜視図である。
【図１２】携帯用ゲーム機、および携帯用電子辞典の、文字入力用の液晶表示画面に表示されるキースイッチ手段におけるキートップ模様と、それと重なるアシスト表示領域の各種の表示状態を示す、キースイッチ手段の正面図である。
【図１３】図７に示すキースイッチ手段を適用した携帯電話の正面斜視図である。
【図１４】図７に示すキースイッチ手段を適用した、携帯情報端末（ＰＤＡ）の正面図である。
【図１５】図７に示すキースイッチ手段を適用した、コンピュータ用入力端末の正面斜視図である。
【図１６】図８の（ａ）に示すキースイッチ手段を適用した、デジタルテレビの正面図である。
【図１７】図８の（ａ）に示すキースイッチ手段を適用した、電子辞典の斜視図である。
【図１８】図８の（ａ）に示すキースイッチ手段を適用した、携帯情報端末の正面図である。
【図１９】図１６、図１７，図１８に示すデジタルテレビ、電子辞典、携帯情報端末に適用されたキースイッチ手段による、キートップ模様とアシスト領域の各選択状態に応じた表示状態を示す、キースイッチ手段の正面図である。
【符号の説明】
【０３１６】
(１)仮名文字領域(仮名文字領域
(２)清音領域
(３)濁音領域
(４)第１子音選択キー群
(4a)第１選択状態
(５)第２子音選択キー群
(5a)第１選択状態
(６)直音領域
(７)拗音領域
(８)第１母音選択キー群
(９)第２母音選択キー群
(10)単母音
(11)拗母音
(12)第２選択状態
(13)第１選択グループ
(14)第２選択グループ
(15A)(15B)(15C)(15D)キースイッチ手段
(16)(16a)(16b)キースイッチ
(17)文字入力用キースイッチ群
(17a)上方の文字入力用キースイッチ群（第１の文字入力用キースイッチ群）
(17b)下方の文字入力用キースイッチ群（第２の文字入力用キースイッチ群）
(18)(19)囲み線
(20)分離線
(21Ａ)コントローラ
(21B)携帯用ゲーム機
(21C)携帯用電子辞典
(21C)携帯用電子辞典
(21D)携帯電話
(21E)携帯情報端末
(21F)コンピュータ用入力端末
(22)液晶表示画面
(23)入力領域
(24)アシスト表示領域
(25)キートップ模様
(26)(27)操作スイッチ
(28)カーソルポインタ
(29)機能キー
(30)蓋
(31)本体
(32)タッチパネル
(33)入力用ペン
(34)下端部
(35)正面平面部
(36)キースイッチ群
(37)側面部
(38)キースイッチ
(38a)キースイッチ
【図１】
2005099921.tif 000018
【図２】
2005099921.tif 000019
【図３】
2005099921.tif 000020
【図４】
2005099921.tif 000021
【図５】
2005099921.tif 000022
【図６】
2005099921.tif 000023
【図７】
2005099921.tif 000024
【図８】
2005099921.tif 000025
【図９】
2005099921.tif 000026
【図１０】
2005099921.tif 000027
【図１１】
2005099921.tif 000028
【図１２】
2005099921.tif 000029
【図１３】
2005099921.tif 000030
【図１４】
2005099921.tif 000031
【図１５】
2005099921.tif 000032
【図１６】
2005099921.tif 000033
【図１７】
2005099921.tif 000034
【図１８】
2005099921.tif 000035
【図１９】
2005099921.tif 000036